(57)【要約】      （修正有）【課題】排水路の一部を迂回して長手方向へ通水性を確保する。【解決手段】底壁部１又は側壁部２のいずれか一方、若しくは底壁部１及び側壁部２の両方に沿って、その長手方向へ延びる補助通水路４を設け、補助通水路４を透水材５或いは通水可能な空間で構成し、透水材５或いは空間の少なくとも一部を排水路３に連通させることにより、排水路３の途中に塵埃や夾雑物などが堆積しても、この堆積物の上流側に流れ込む排水は、補助通水路４を通り堆積物を迂回して排水路３に合流するか、又はそのまま補助通水路４を通って、排水路３の下流端まで流下する。【選択図】図１
2012117279.tif 000002
【特許請求の範囲】
【請求項１】
長手方向へ延びる底壁部と、この底壁部から互いに対向するように立ち上がる側壁部との間に、排水路が長手方向へ形成される排水溝であって、
前記底壁部又は前記側壁部のいずれか一方、若しくは前記底壁部及び前記側壁部の両方に沿って、その長手方向へ延びる補助通水路を設け、該補助通水路を透水材或いは通水可能な空間で構成し、前記透水材或いは前記空間の少なくとも一部を前記排水路に連通させたことを特徴とする排水溝。
【請求項２】
前記補助通水路を、前記側壁部に沿って上下方向へ延びるように形成し、該補助通水路に前記排水路と常時連通する流入部及び流出部を設けたことを特徴とする請求項１記載の排水溝。
【請求項３】
前記補助通水路に、該補助通水路内において上下落下する水流を方向付けする誘導部が設けられ、この誘導部を前記排水路の排水方向へ向け斜め下方に傾斜させて配置したことを特徴とする請求項１又は２記載の排水溝。
【請求項４】
前記補助通水路が前記透水材で構成され、該透水材の前記排水路と対向する表面において少なくとも一部に、前記透水材よりも通水性能が低い遮水面を設けたことを特徴とする請求項１、２又は３記載の排水溝。
【請求項５】
前記補助通水路を前記排水路の内部に突出させて配置したことを特徴とする請求項１、２、３又は４記載の排水溝。
【請求項６】
請求項１〜５のいずれかに記載の排水溝と、該排水溝の下流端が接続される排水桝とからなる排水溝装置であって、
前記排水溝の下流端における前記排水路の底面を、該排水溝と前記排水桝との接続部よりも低く設置して、前記排水溝の下流端における前記排水路の前記底面に沿って泥溜め部を形成したことを特徴とする排水溝装置。
【発明の詳細な説明】
【技術分野】
【０００１】
本発明は、建築物の屋上面や床面又は道路や線路の路面若しくは公園や広場の地面などにおいて雨水などの排水を流すために構築される排水溝の構造、及び、この排水溝と排水桝とからなる排水溝装置の構造に関する。
【背景技術】
【０００２】
従来、この種の排水溝として、長手方向に延在する底板と、該底板の左右側縁から上方に立ち上がる左右側板とを備え、該左右側板間の上部の開口幅寸法が上端から底板までの深さ寸法に比して小さく形成される幅狭形溝路部材がある（例えば、特許文献１参照）。
【先行技術文献】
【特許文献】
【０００３】
【特許文献１】特開２００９−１０２８５７号公報
【発明の概要】
【発明が解決しようとする課題】
【０００４】
しかし乍ら、このような従来の排水溝では、開口幅（溝幅）が深さに比して狭いことから、排水路を流れる水流に対する抵抗が強く、流水量の低下などにより、比重の重い塵埃や夾雑物などが、排水路の底面（溝底）に沈殿して堆積し、この堆積物が排水路の底面に固着してオーバーフローが発生し易かった。
このようなオーバーフローを防止するには、塵埃や夾雑物などの堆積物を除去するための作業を頻繁に実施する必要があり、管理に手間がかかるという問題があった。
そのため、溝幅が深さ寸法に比して狭い排水溝は、その使用箇所が限定され、一般的な屋外の排水溝として使用できないという問題もあった。
【０００５】
本発明は、このような問題に対処することを課題とするものであり、排水路の一部を迂回して長手方向へ通水性を確保することが可能な排水溝を提供すること、排水桝内の目詰まりを防止することが可能な排水溝装置を提供すること、などを目的とするものである。
【課題を解決するための手段】
【０００６】
このような目的を達成するために本発明による排水溝は、長手方向へ延びる底壁部と、この底壁部から互いに対向するように立ち上がる一対の側壁部との間に、排水路が長手方向へ形成される排水溝であって、前記底壁部又は前記側壁部のいずれか一方、若しくは前記底壁部及び前記側壁部の両方に沿って、その長手方向へ延びる補助通水路を設け、該補助通水路を透水材或いは通水可能な空間で構成し、前記透水材或いは前記空間の少なくとも一部を前記排水路に連通させたことを特徴とする。
【０００７】
また、このような目的を達成するために本発明による排水溝装置は、前記排水溝と、該排水溝の下流端が接続される排水桝とからなる排水溝装置であって、前記排水溝の下流端における前記排水路の底面を、該排水溝と前記排水桝との接続部よりも低く設置して、前記排水溝の下流端における前記排水路の前記底面に沿って泥溜め部を形成したことを特徴とする。
【発明の効果】
【０００８】
前述した特徴を有する本発明による排水溝は、底壁部又は側壁部のいずれか一方、若しくは底壁部及び側壁部の両方に沿って、その長手方向へ延びる補助通水路を設け、補助通水路を透水材或いは通水可能な空間で構成し、透水材或いは空間の少なくとも一部を排水路に連通させることにより、排水路の途中に塵埃や夾雑物などが堆積しても、この堆積物の上流側に流れ込む排水は、補助通水路を通り堆積物を迂回して排水路に合流するか、又はそのまま補助通水路を通って、排水路の下流端まで流下するので、排水路の一部を迂回して長手方向へ通水性を確保することができる。
その結果、排水路を流れる流水の速度が低い揚合や流水量が少ないと排水路の一部に塵埃や夾雑物などが堆積してオーバーフローが発生し易い従来のものに比べ、排水路の途中に塵埃や夾雑物などが堆積しても、屋上面や床面又は路面や地面などの排水面から流れ込む雨水などの排水を、排水路の下流端まで流下させることができ、堆積物によるオーバーフローの防止を図ることができる。
それによって、堆積物を除去しなくても排水できるから、除去作業の実施回数を減らすことができて使用勝手が良い。
したがって、溝幅が深さ寸法に比して狭い排水溝であっても、一般的な屋外の排水溝として使用できる。
【０００９】
また、前述した特徴を有する本発明による排水溝装置は、排水溝の下流端における排水路の底面を、排水溝と排水桝との接続部よりも低く設置して、排水溝の下流端における排水路の底面に沿って泥溜め部を形成することにより、排水溝の下流端に配置される泥溜め部で、晴天時などに発生した塵埃などが排水桝内の排水空間に流入せずに堰き止められるので、排水桝内の目詰まりを防止することができる。
その結果、このような目詰まりを防止するため、排水桝内の排水空間に流入した塵埃などを除去する作業を無くしたり、作業回数を減らすことができて管理が容易になる。
【図面の簡単な説明】
【００１０】
【図１】本発明の実施形態に係る排水溝を示す説明図であり、（ａ）が縦断正面図、（ｂ）が同縦断側面図である。
【図２】排水溝の変形例を示す説明図であり、（ａ）が縦断正面図、（ｂ）が同縦断側面図である。
【図３】排水溝の変形例を示す説明図であり、（ａ）が縦断正面図、（ｂ）が同縦断側面図、（ｃ）が図３（ａ）の（３Ｃ）−（３Ｃ）線に沿える横断平面図である。
【図４】本発明の実施形態に係る排水溝装置の全体構成を示す説明図であり、（ａ）が縦断側面図、（ｂ）が同平面図である。
【発明を実施するための形態】
【００１１】
以下、本発明の実施形態を図面に基づいて詳細に説明する。
本発明の実施形態に係る排水溝Ａは、図１〜図３に示すように、長手方向へ延びる帯板状の底壁部１と、この底壁部１の左右側縁から互いに対向するように立ち上げられる一対の側壁部２と、これら底壁部１及び側壁部２に沿って長手方向へ形成される排水路３とを備え、例えば合成樹脂やコンクリートや金属などの剛性材料で、上面を開口した断面略Ｕ字型又は断面コの字形若しくは開口幅（溝幅）が狭い断面逆Ω形に形成される。
【００１２】
排水溝Ａは、例えば建築物の屋上面や床面又は道路や線路の路面若しくは公園や広場の地面などの排水面Ｇに対し、所定の排水勾配をもって埋設され、排水面Ｇから流れ込む雨水などの排水を集めて、排水路３の下流端へ流下させるように配置されている。
【００１３】
排水溝Ａには、底壁部１又は側壁部２のいずれか一方か、若しくは底壁部１及び側壁部２の両方に沿って、その長手方向へ延びる補助通水路４を設けている。
補助通水路４は、排水溝Ａの成形時に予め一体的に組み付けるか、或いは既製の排水溝Ａに後から取り付けることで、排水路３の長手方向全長又は一部に沿って形成され、底壁部１や側壁部２に直接設置するか、若しくは側壁部２の上方に設けられる受け枠や溝蓋などから構成部材を垂下させることで、排水路３内に設置している。
さらに、補助通水路４は、図１や図２に示されるように、水が染み通る材料からなる透水材５で構成するか、或いは図３に示されるように、板材などにより排水路３と区切るなどして塵埃や夾雑物などの異物の進入及び堆積などが困難で且つ排水面Ｇからの排水が通水可能な空間６で構成している。
透水材５或いは通水可能な空間６は、その少なくとも一部又は全部を排水路３に連通させている。
その具体例としては、図１に示されるように、透水材５で構成された補助通水路４の大部分を排水路３に連通させるか、又は図２に示されるように、透水材５で構成された補助通水路４の一部を排水路３に連通させるか、若しくは図３に示されるように、板材などにより排水路３と区切ることで構成された通水可能な空間６の一部を排水路３に連通させることが好ましい。
また、その他の例として図示しないが、補助通水路４として、その上部に透水材５を設け、下部に通水可能な空間６を設けるなど、補助通水路４を透水材５と通水可能な空間６との組み合わせで構成することも可能である。
【００１４】
さらに、補助通水路４は、図１〜図３に示されるように、側壁部２に沿って上下方向へ延びるように形成され、補助通水路４には、排水路３と常時連通する流入部４ａ及び流出部４ｂを設けることが好ましい。
その具体例として図１〜図３に示される例では、補助通水路４の上端又は上端近傍に、排水路３の上部と常時連通する流入部４ａを設け、補助通水路４の下端又は下端近傍に、排水路３の底面３ａ近くと常時連通する流出部４ｂを設けている。
また、その他の例として図示しないが、図３に示される例のような、補助通水路４が板材などにより排水路３と区切ることで構成された通水可能な空間６である場合には、通水可能な空間６と排水路３とを区切る板材などに、上下方向へ延びる切り込みや長孔などを貫通開穿したり、上部及び下部に複数の貫通孔をそれぞれ開穿することで、排水路３と常時連通する流入部４ａと流出部４ｂが開設されるようにすることも可能である。
【００１５】
また、補助通水路４には、図１，図３に示されるように、補助通水路４内において上下落下する流水を方向付けする誘導部４ｃが設けられ、この誘導部４ｃを排水路３の排水方向Ｘへ向けて斜め下方に傾斜させて配置することが好ましい。
その具体例としては、誘導部４ｃとして補助通水路４内に間仕切りを設けることにより、補助通水路４の上端から流入した水が、排水路３の排水方向Ｘへ向け斜め下方に方向付けされて、勢い良く排水路３に流出されるように構成している。
【００１６】
また、補助通水路４が透水材５で構成される場合には、図２に示されるように、透水材５の排水路３と対向する表面において少なくとも一部又は全部に、透水材５よりも通水性能が低い遮水面７を設けることが好ましい。
その具体例として図２に示される例では、透水材５の排水路３と対向する表面において、その上端に形成される流入部４ａ及び下端に形成される流出部４ｂを除く大部分が遮水面７で覆われている。
また、その他の例として図示しないが、図２に示される例の遮水面７において、上下方向へ延びる切り込みや長孔などを貫通開穿したり、上部及び下部に複数の貫通孔をそれぞれ開穿することで、排水路３と常時連通する流入部４ａと流出部４ｂを開設することも可能である。
【００１７】
また、補助通水路４は、図１に示されるように、側壁部２の内部に配置するか、又は図２及び図３に示されるように、排水路３の内部に突出させて配置する。
さらに必要に応じて図示しないが、底壁部１又は側壁部２のいずれか一方か、若しくは底壁部１及び側壁部２の両方には、補助通水路４と連通する浸透孔を設けることで、補助通水路４の流入部４ａや流出部４ｂと同じ機能を持たせることも可能である。
【００１８】
このような本発明の実施形態に係る排水溝Ａによると、排水路３の途中が塵埃や夾雑物などが堆積しても、この堆積物の上流側に流れ込む排水は、補助通水路４を通り堆積物を迂回して排水路３に合流するか、又はそのまま補助通水路４を通って、排水路３の下流端まで流下する。
それにより、排水路３の一部を迂回して長手方向へ通水性を確保することができる。
したがって、排水路３の途中に塵埃や夾雑物などが堆積しても、排水面Ｇから流れ込む排水を、排水路３の下流端まで流下させることができる。また、堆積物を除去しなくても排水できるから、除去作業の実施回数を減らすことができる。
【００１９】
特に、補助通水路４を、側壁部２に沿って上下方向へ延びるように形成し、補助通水路４に排水路３と常時連通する流入部４ａ及び流出部４ｂを設けた場合には、排水路３の途中が塵埃や夾雑物などが堆積しても、排水面Ｇからの排水が補助通水路４の流入部４ａに向けて落下すると、補助通水路４を通って流出部４ｂへ流れ、この排水が排水路３に戻ることにより、堆積物との固着部分に浸透して堆積物の流動性が高まる。また、排水面Ｇからの排水が堆積物に向けて落下すると、堆積物の上に落下した排水や堆積物の上面に沿って流れる排水などが、補助通水路４の流入部４ａから流出部４ｂへ流れ、この排水が排水路３に戻ることにより、堆積物との固着部分に浸透して堆積物の流動性が高まる。
それによって、排水路３の一部を迂回して垂直方向への通水性を確保することができる。
その結果、塵埃や夾雑物などの堆積物を排水路３の下流端まで排出させることができる。そのため、堆積物の除去作業を無くしたり、作業回数を減らすことができて管理が更に容易になる。
さらに、図１や図２に示されるように、補助通水路４として透水材５を側壁部２沿いに長手方向へ連続するように配置した場合には、路面などの排水面Ｇや路床の経年変化によって、排水路３の排水勾配が計画された排水勾配から乱れたとしても、排水路３の途中で溜まった排水を透水材５が吸収し、川下に誘導することができる。
【００２０】
また、補助通水路４内において上下落下する流水を方向付けする誘導部４ｃが設けられ、この誘導部４ｃを排水路３の排水方向Ｘへ向けて斜め下方に傾斜させて配置した場合には、補助通水路４内において上下落下する水流が誘導部４ｃにより斜め下方に方向付けされ、勢い良く排水路３に排出される。
それによって、補助通水路４内を落下する水流に勢いを与えて排水路３に排出することができる。
その結果、排水路３の途中に堆積した塵埃や夾雑物などを水流により押して移動させ、堆積物を排水路３の下流端まで確実に排出することができる。そのため、堆積物の除去作業を無くしたり、作業回数を減らすことができて管理が更に容易になる。
【００２１】
また、補助通水路４が透水材５で構成され、透水材５の排水路３と対向する表面において少なくとも一部に、透水材５よりも通水性能が低い遮水面７を設けた場合には、補助通水路４となる透水材５の表面において排水路３との連通位置や連通面積などが調整可能となる。
それにより、排水面Ｇからの排水を透水材５に導入して排水路３への戻し位置及び戻し量を設定することができる。
その結果、塵埃や夾雑物などの堆積物に対し最適な位置で最適量の排水を流出して、排水路３の下流端まで確実に移動させて排出することができる。そのため、堆積物の除去作業を無くしたり、作業回数を減らすことができて管理が更に容易になる。
【００２２】
補助通水路４を排水路３の内部に突出させて配置した場合には、排水路３を流れる流水が補助通水路４に突き当たることで、流水の流れ方向及び流れ量が変化する。
それにより、排水路３を流れる流水の流れ方向及び流れ量を調整することができる。
その結果、排水路３の途中に堆積した塵埃や夾雑物などに対して水流を当て堆積物の移動性を高めて、排水路３の下流端まで確実に移動させて排出することができる。そのため、堆積物の除去作業を無くしたり、作業回数を減らすことができて管理が更に容易になる。
【００２３】
そして、本発明の実施形態に係る排水溝装置は、図４に示すように、前述した排水溝Ａと、この排水溝Ａの下流端が接続される排水桝Ｂとから構成されている。
排水溝Ａは、その下流端における排水路３の底面３ａ（底壁部１の表面：溝底）を、排水溝Ａと排水桝Ｂとの接続部Ｃよりも低く設置して、排水溝Ａの下流端における排水路３の底面３ａに泥溜め部Ｄを形成している。
つまり、雨水などの排水が排水溝Ａに流れ込んで、排水溝Ａの下流端における泥溜め部Ｄの水位が上昇した時のみ、排水が排水溝Ａと排水桝Ｂとの接続部Ｃを乗り越えて排水桝Ｂ内の排水空間Ｂ１に流れ込むように構成している。
【００２４】
このような本発明の実施形態に係る排水溝装置によると、排水溝Ａの下流端に配置される泥溜め部Ｄで、晴天時などに発生した塵埃などが排水桝Ｂ内の排水空間Ｂ１に流入せずに堰き止められる。
それにより、排水桝Ｂ内の目詰まりを防止することができる。
その結果、このような目詰まりを防止するため、排水桝Ｂ内の排水空間Ｂ１に流入した塵埃などを除去する作業を無くしたり、作業回数を減らすことができて管理が容易になる。
特に、図１や図２に示されるように、排水溝Ａの底壁部１又は側壁部２のいずれか一方、若しくは底壁部１及び側壁部２の両方に沿って設けられる補助通水路４として、透水材５を側壁部２沿いに長手方向へ連続するように配置した場合には、泥溜め部Ｄに溜まった排水を透水材５が吸収して排水桝Ｂに排出することにより、泥溜め部Ｄに溜まった排水の腐敗などを防止することができる。
次に、本発明の各実施例を図面に基づいて説明する。
【実施例１】
【００２５】
この実施例１は、図１（ａ）（ｂ）に示すように、側壁部２の内部に補助通水路４として透水材５をそれぞれ埋め込み、さらに透水材５を誘導部４ｃとなる間仕切りで長手方向へ複数に区切って分割したものである。
【００２６】
図１（ａ）（ｂ）に示される例では、側壁部２の長手方向略全長に沿って透水材５がそれぞれ設置されるとともに、透水材５と誘導部４ｃの間仕切りを側壁部２の内面と面一状に配置し、複数の誘導部４ｃを略平行に傾斜させている。
さらに、側壁部２の上方には、受け枠８を設けて、排水面Ｇからの排水が排水路３に流れ込むように配置し、受け枠８の内部には、溝蓋９を着脱自在に載置している。
また、その他の例として図示しないが、側壁部２の長手方向一部に沿って透水材５を設置したり、透水材５又は誘導部４ｃの間仕切りのいずれか一方か、若しくは透水材５及び誘導部４ｃの間仕切りの両方を、側壁部２の内面から排水路３の内部に突出させて配置したり、受け枠８や溝蓋９を設けずに常時開口させたり、後述する幅決め材を設けることも可能である。
【００２７】
このような本発明の実施例１に係る排水溝Ａによると、排水面Ｇからの排水が排水路３に流れ込み、排水路３の途中に塵埃や夾雑物などが堆積している場合には、この堆積物の上に流入した排水の一部が、補助通水路４となる透水材５内に入り込み、誘導部４ｃの間仕切りにより斜め下方に誘導されて排水路３に排出される。
それにより、透水材５内を落下する水流で堆積物を移動させて排出することができるという利点がある。
特に、誘導部４ｃの間仕切りのみを側壁部２の内面から排水路３の内部に突出させた場合には、排水路３を流れる排水が斜め下方に誘導されて、堆積物を排出方向へ押す力が促進され、排水路３の下流端まで確実に移動させて排出できるという利点がある。
【実施例２】
【００２８】
この実施例２は、図２（ａ）（ｂ）に示すように、側壁部２の表面に補助通水路４として透水材５を排水路３の内部に突出するようにそれぞれ設置し、透水材５の流出部４ｂとなる下端面を排水路３の底面３ａ（底壁部１の表面：溝底）に向けて配置するとともに、透水材５の排水路３と対向する表面に遮水面７を設けた構成が、図１（ａ）（ｂ）に示した実施例１とは異なり、それ以外の構成は図１（ａ）（ｂ）に示した実施例１と同じものである。
【００２９】
図２（ａ）（ｂ）に示される例では、側壁部２の長手方向一部に沿って透水材５がそれぞれ設置され、透水材５をその下部に向かって徐々に厚くなるように形成し、その流出部４ｂとなる下端面を排水路３の底面３ａ（底壁部１の表面：溝底）に当接させて立てるように配置し、その排水路３の内部へ向けて突出した対向する先端平面のみに、板材からなる遮水面７を取り付けている。
さらに、左右に対向する側壁部２の間隔を所定幅に保持する幅決め材１０を、両側壁部２に亘って設け、幅決め材１０の上に溝蓋９を着脱自在に載置している。
また、その他の例として図示しないが、側壁部２の長手方向略全長に沿って透水材５を設置したり、透水材５を側壁部２の表面と略平行となるように均一な肉厚にしたり、幅決め材１０に代えて受け枠８を設けたり、溝蓋９を設けずに常時開口させることも可能である。
【００３０】
このような本発明の実施例２に係る排水溝Ａによると、排水面Ｇからの排水に含まれる夾雑物は、補助通水路４となる透水材５内に入らず、排水のみが透水材５の流入部４ａから入り込んでそのまま流出部４ｂに流れ落ちる。また、透水材５内を流れる排水は、透水材５の排水路３と対向する表面が遮水面７で覆われているため、排水のほとんど全部が流出部４ｂから排水路３の底面３ａに流れ出る。
それにより、排水路３の途中に塵埃や夾雑物などが堆積している場合には、堆積物の下部に排水が浸透してその移動性を高めることができるという利点がある。
特に、図示例のように、透水材５をその下部に向かって徐々に厚くなるように形成することにより、排水路３の通水面積が下部に向くほど幅狭くなるようにした場合には、排水路３を流れる水流の圧力が高くなって、堆積物の移動性を更に高めることができるという利点がある。
【実施例３】
【００３１】
この実施例３は、図３（ａ）〜（ｃ）に示すように、側壁部２の表面に対して、遮水面７となる板材を所定間隔が空くように設けることにより、補助通水路４として排水面Ｇからの排水が通水可能な空間６を構成するとともに、遮水面７となる板材をその下部に向かって側壁部２との間隔が徐々に狭くなるように配置した構成が、図１（ａ）（ｂ）に示した実施例１とは異なり、それ以外の構成は図１（ａ）（ｂ）に示した実施例１と同じものである。
【００３２】
図３（ａ）〜（ｃ）に示される例では、側壁部２の上方に設けられる受け枠８の内端部８ａを、補助通水路４となる空間６の上端に開口する流入部４ａと略同等又はそれよりも排水路３へ向けて突出させ、遮水面７となる板材を誘導部４ｃの間仕切りにより、排水路３の排水方向Ｘへ向かって、対向する遮水面７の間隔が徐々に狭くなるように配置している。
さらに、遮水面７となる板材の上下幅寸法が、排水路３の排水方向Ｘへ向かって徐々に短くなるようにしている。
また、その他の例として図示しないが、側壁部２の表面に対して遮水面７となる板材を、誘導部４ｃの間仕切りとは異なる形状の支持部材を用いて支持したり、排水路３の排水方向Ｘへ向かって、対向する遮水面７の間隔が徐々に広くなるように配置したり、遮水面７となる板材の上下幅寸法が、排水路３の排水方向Ｘへ向かって徐々に長くなるようにするか、又は同じ長さにすることも可能である。
【００３３】
このような本発明の実施例３に係る排水溝Ａによると、対向する遮水面７により排水路３の下部が広がっているため、図２（ａ）（ｂ）に示した実施例２よりも、堆積物が高く積み上がり難いという利点がある。
さらに、図示例の場合には、排水面Ｇからの排水は、受け枠８の内端部８ａから補助通水路４となる空間６の流入部４ａに入らず、排水路３の底面３ａに向けて落下する。また、排水路３を流れる流水の水位が上昇した時には、補助通水路４となる空間６の流入部４ａに入り込む。この際、誘導部４ｃの間仕切りにより流出部４ｂに向かって斜め下方に誘導されるとともに、川下に行くほど排水路３の幅が狭まることで、流水の水圧を高めることができるという利点がある。
また、対向する遮水面７の間隔が排水路３の排水方向Ｘへ向かって広くなるように配置した場合には、川上より大きな排水量を確保できるという利点がある。
【実施例４】
【００３４】
この実施例４は、図４（ａ）（ｂ）に示すように、排水溝Ａとして開口幅（溝幅）が深さに比べ狭い幅狭型排水溝を用い、排水桝Ｂとして例えば小口径桝などの小型桝を用い、これら両者が接続パイプＥを介して連結され、排水溝Ａと排水桝Ｂとの接続部Ｃには、排水溝Ａの下流端における排水路３の底面３ａよりも高い段差Ｃ１を設けたものである。
【００３５】
図４（ａ）（ｂ）に示される例では、排水桝Ｂとなる小型桝の本体に対して、接続パイプＥの下端部が調整移動自在に嵌挿され、接続パイプＥを部分的に切断することで、排水溝Ａと排水桝Ｂとの接続部Ｃに段差Ｃ１が形成され、段差Ｃ１の上端位置よりも排水溝Ａの下流端における排水路３の底面３ａが低くなるように配置している。
さらに、接続パイプＥの上端部には、点検用蓋Ｆを着脱自在に設け、排水桝Ｂとなる小型桝の本体には、その内部に形成される排水空間Ｂ１と連通する排水パイプＢ２が連結されている。
また、その他の例として図示しないが、接続パイプＥを用いずに、排水溝Ａの下流端に貫通孔を開設して排水桝Ｂと接続させたり、排水溝Ａの下流端における底壁部１に接続ソケットを設けて排水桝Ｂと接続させることも可能である。
【００３６】
このような本発明の実施例４に係る排水溝装置によると、排水溝Ａが幅狭型排水溝で排水面Ｇから排水路３の底面３ａまでが比較的に深く形成されるため、排水路３を流れる流水速度が低い場合や流水量が少ない場合であっても、排水面Ｇから落下する水流の圧力が高くなる。
それにより、落下する水流によって、排水路３の途中に堆積した塵埃や夾雑物などを穿ち、水中に舞い上げ、水流に載せて排水桝Ｂへ移動させ、排水路３における塵埃や夾雑物などの堆積量を効率的に減らすことができるという利点がある。
さらに、排水溝Ａとして開口幅（溝幅）が狭い幅狭型排水溝を、排水桝Ｂとして例えば小口径桝などの小型桝に接続したので、これらの接続部Ｃにおいて排水溝Ａからの排水がぶつかり、その水流を乱してオーバーフローすることはなく、小型桝の排水空間への塵埃や夾雑物などの流入をせき止め、小型桝の目詰まりを防止することができる。
それにより、集水能力を有する排水溝（開渠）と小型桝との接続を可能とすることができるという利点もある。
【００３７】
なお、前示実施例４では、排水溝Ａとして開口幅が狭い幅狭型排水溝を用い、排水桝Ｂとして例えば小口径桝などの小型桝を用いたが、これに限定されず、開口幅が比較的に広い一般的な排水溝Ａと一般的な排水桝Ｂと接続しても良い。
【符号の説明】
【００３８】
Ａ  排水溝                            １  底壁部
２  側壁部                            ３  排水路
３ａ  底面                            ４  補助通水路
４ａ  流入部                          ４ｂ  流出部
４ｃ  誘導部                          ５  透水材
６  通水可能な空間                    ７  遮水面
Ｂ  排水桝                            Ｃ  接続部
Ｄ  泥溜め部                          Ｘ  排水方向
【図１】
2012117279.tif 000003
【図２】
2012117279.tif 000004
【図３】
2012117279.tif 000005
【図４】
2012117279.tif 000006